(57)【要約】【課題】複数の光ディスクに対する記録時間の短縮を図る。【解決手段】  複数の多層光ディスクを収納自在なディスクカートリッジから取り出された１つの多層光ディスクの１つの記録層に、複数の多層光ディスクに記録を行うための必要な記録管理情報（ＣＭＡ）がディスクカートリッジ単位の記録管理情報として記録可能な記録管理情報領域を設ける。ホスト装置は、記録管理情報領域が設けられた光ディスクが装填される特定のディスクドライブに対してディスクカートリッジ単位の記録管理情報の読み込みを指示し、取得した記録管理情報をもとに複数のディスクドライブに対してユーザデータの記録のための一連の処理を実行させ、各ディスクドライブから処理結果に関する情報を取得して新たな記録管理情報を生成して、特定のディスクドライブに対して当該新たな記録管理情報を記録管理情報領域に追記するように指示する。【選択図】図４
2014038679.tif 000002
【特許請求の範囲】
【請求項１】
それぞれ１以上の記録層を有する複数の光ディスクを着脱自在なディスクカートリッジであって、
前記複数の光ディスクのうち少なくとも１つの光ディスクの、少なくとも１つの前記記録層に、前記複数の光ディスクの前記記録層に記録を行うための必要な記録管理情報が記録可能な記録管理情報領域が設けられる
ディスクカートリッジ。
【請求項２】
請求項１に記載のディスクカートリッジであって、
前記記録管理情報が、記録済み領域の先頭／終了アドレス情報を含む
ディスクカートリッジ。
【請求項３】
請求項１または２に記載のディスクカートリッジであって、
前記記録管理情報が、欠陥管理情報を含む
ディスクカートリッジ。
【請求項４】
請求項１ないし３のいずれか１項に記載のディスクカートリッジであって、
前記記録管理情報が、ＰＣＡ（Ｐｏｗｅｒ Ｃａｌｉｂｒａｔｉｏｎ Ａｒｅａ）のアドレス情報と、当該ＰＣＡを用いたＯＰＣ（Ｏｐｔｉｍｕｍ Ｐｏｗｅｒ Ｃｏｎｔｒｏｌ）により得られた記録条件データが記録されたアドレス情報を含む
ディスクカートリッジ。
【請求項５】
それぞれ１以上の記録層を有する複数の光ディスクを着脱自在なディスクカートリッジから取り出された複数の光ディスクがそれぞれ個別に装填される複数のディスクドライブと、これらのディスクドライブと接続されたホスト装置とを準備し、
前記複数の光ディスクのうち、少なくとも１つの光ディスクの少なくとも１つの前記記録層に、前記複数の光ディスクの前記記録層に記録を行うために必要な記録管理情報が前記ディスクカートリッジ単位の記録管理情報として記録可能な記録管理情報領域が設けられ、
前記ホスト装置の制御部は、
前記記録管理情報領域が設けられた少なくとも１つの光ディスクが装填される少なくとも１つの前記ディスクドライブに対して、当該ディスクカートリッジ単位の記録管理情報の読み込みを指示し、
前記読み込まれた前記ディスクカートリッジ単位の記録管理情報をもとに、前記複数のディスクドライブに対してデータの記録のための一連の処理を実行するように指示し、
それぞれのディスクドライブから前記処理の結果に関する情報を取得し、
これらの情報をもとに前記ディスクカートリッジ単位の新たな記録管理情報を生成し、
前記記録管理情報領域が設けられた少なくとも１つの光ディスクが装填される少なくとも１つの前記ディスクドライブに対して、当該ディスクカートリッジ単位の新たな記録管理情報の記録を指示する
光記録方法。
【請求項６】
請求項５に記載の光記録方法であって、
前記ホスト装置の制御部は、前記記録管理情報を取得しながら、同時に他の１以上の前記ディスクドライブを稼働させて記録を行うように制御を行う
光記録方法。
【請求項７】
請求項５または６に記載の光記録方法であって、
前記記録管理情報が、記録済み領域の先頭／終了アドレス情報を含む
光記録方法。
【請求項８】
請求項５ないし７のいずれか１項に記載の光記録方法であって、
前記記録管理情報が、欠陥管理情報を含む
光記録方法。
【請求項９】
請求項５ないし８のいずれか１項に記載の光記録方法であって、
前記記録管理情報が、ＰＣＡ（Ｐｏｗｅｒ Ｃａｌｉｂｒａｔｉｏｎ Ａｒｅａ）のアドレス情報と、当該ＰＣＡを用いたＯＰＣ（Ｏｐｔｉｍｕｍ Ｐｏｗｅｒ Ｃｏｎｔｒｏｌ）により得られた記録条件データが記録されたアドレス情報を含む
光記録方法。
【請求項１０】
それぞれ１以上の記録層を有する複数の光ディスクを着脱自在なディスクカートリッジから取り出された複数の光ディスクがそれぞれ個別に装填される複数のディスクドライブと、これらのディスクドライブと接続されたホスト装置とを具備し、
前記複数の光ディスクのうち、少なくとも１つの光ディスクの少なくとも１つの前記記録層に、前記複数の光ディスクの前記記録層に記録を行うために必要な記録管理情報が前記ディスクカートリッジ単位の記録管理情報として記録可能な記録管理情報領域が設けられ、
前記ホスト装置は、前記記録管理情報領域が設けられた少なくとも１つの光ディスクが装填される少なくとも１つの前記ディスクドライブに対して、当該ディスクカートリッジ単位の記録管理情報の読み込みを指示し、前記読み込まれた前記ディスクカートリッジ単位の記録管理情報をもとに、前記複数のディスクドライブに対してデータの記録のための一連の処理を実行するように指示し、それぞれのディスクドライブから前記処理の結果に関する情報を取得し、これらの情報をもとに前記ディスクカートリッジ単位の新たな記録管理情報を生成し、前記記録管理情報領域が設けられた少なくとも１つの光ディスクが装填される少なくとも１つの前記ディスクドライブに対して、当該ディスクカートリッジ単位の新たな記録管理情報の記録を指示する制御部を有する
光記録システム。
【請求項１１】
請求項１０に記載の光記録システムであって、
前記記録管理情報が、記録済み領域の先頭／終了アドレス情報を含む
光記録システム。
【請求項１２】
請求項１０または１１に記載の光記録システムであって、
前記記録管理情報が、欠陥管理情報を含む
光記録システム。
【請求項１３】
請求項９ないし１２のいずれか１項に記載の光記録システムであって、
前記記録管理情報が、ＰＣＡ（Ｐｏｗｅｒ Ｃａｌｉｂｒａｔｉｏｎ Ａｒｅａ）のアドレス情報と、当該ＰＣＡを用いたＯＰＣ（Ｏｐｔｉｍｕｍ Ｐｏｗｅｒ Ｃｏｎｔｒｏｌ）により得られた記録条件データが記録されたアドレス情報を含む
光記録システム。
【発明の詳細な説明】
【技術分野】
【０００１】
本発明は、それぞれ１以上の記録層を有する複数の光ディスクを出し入れ可能に収納するディスクカートリッジ、このディスクカートリッジから取り出された複数の光ディスクに記録を行う光記録方法および光記録システムに関する。
【背景技術】
【０００２】
ＤＶＤ（Ｄｉｇｉｔａｌ Ｖｅｒｓａｔｉｌｅ Ｄｉｓｋ）、ブルーレイディスク（登録商標）などの光ディスクの大容量化を目的として、記録層を多層化することが行われる。記録層の多層化に伴い、記録層へのデータの記録または再生時のトラックキング制御を、記録層とは別の層に設けられたガイドトラックを用いて行う方式も知られている。
【０００３】
例えば、溝構造によるガイドトラックが設けられたガイドトラック層に３９０ｎｍ〜４２０ｎｍの波長（青色）の光を使用してトラッキング制御を行うとともに、複数の記録層の中の一つの記録層に６５０ｎｍ〜６８０ｎｍの波長（赤色）の光を使用して記録を行う光ドライブ装置などがある（例えば、特許文献１等）。
【０００４】
また、ＤＶＤ−Ｒ（Ｒｅｗｒｉｔａｂｌｅ）などの追記型光ディスクでは、ユーザデータエリアの記録状態、例えばユーザデータエリアのどの位置まで記録済みであるかといった情報を管理する仕組みが採用されている。具体的には、ＯＰＣ（Ｏｐｔｉｍｕｍ Ｐｏｗｅｒ Ｃｏｎｔｒｏｌ）に用いられるＰＣＡ（Ｐｏｗｅｒ Ｃａｌｉｂｒａｔｉｏｎ Ａｒｅａ）の後に記録管理領域（ＲＭＡ：Ｒｅｃｏｒｄｉｎｇ Ｍａｎａｇｅｍｅｎｔ Ａｒｅａ）が設けられる。記録管理領域にはユーザデータエリアにおける記録済み領域の開始アドレスと最終アドレスなどが記録される。ディスクドライブは、追記開始前に、光ディスクの記録管理領域を読み込み、記録済み領域と未記録領域との境界を検索し、この境界位置から追記を行うように動作する。例えば、記録管理領域（ＲＭＡ）に記録される記録管理情報の信頼性を高める技術などが提案されている（特許文献１）。
【０００５】
さらに、ＤＶＤ−ＲＡＭ（Ｒａｎｄａｍ Ａｃｃｅｓｓ Ｍｅｍｏｒｙ）などの書き換え型光ディスクでは、記録再生が不可な領域である欠陥領域を他の領域に交替する欠陥管理が採用されている。欠陥領域が検出された場合、ディスクドライブは、リードイン領域とリードアウト領域に設けられる欠陥管理領域（ＤＭＡ：Ｄｅｆｅｃｔ Ｍａｎａｇｅｍｅｎｔ Ａｒｅａ）に欠陥管理情報（ＤＭＳ：Ｄｅｆｅｃｔ Ｍａｎａｇｅｍｅｎｔ Ｓｔｒｕｃｔｕｒｅ）を記録する。欠陥管理情報は、欠陥領域のアドレスと交替領域のアドレスとの対応を示す情報である。
【先行技術文献】
【特許文献】
【０００６】
【特許文献１】特開２００７−２００４２７号公報
【特許文献２】特開２００２−３５２５２２号公報
【発明の概要】
【発明が解決しようとする課題】
【０００７】
近年、光ディスクに対するデータ転送速度のさらなる向上を図るため、複数の多層ディスクに対して複数の光ピックアップを用いて並列して記録／再生を行うことが可能な光記録システムの検討が行われている。このような光記録システムでは、複数の多層ディスクをカートリッジに収めた形でシステムに装填される構成が想定されている。多層ディスクには複数の記録層に連続したアドレスが割り当てられる。つまり多層ディスク一枚に論理的に連続した１つの記録領域があるものとしてユーザデータの記録および追記が行われる。
【０００８】
光記録システムでは、既に記録が行われている多層ディスクを含むカートリッジ単位の追記に先立ち、それぞれの多層ディスクの記録層毎に記録管理領域を読み込んで記録済み領域と未記録領域との境界を検出する必要があった。この動作は、各々のディスクドライブにおいて対応する多層ディスクの記録層毎の記録管理領域を読み込むことによって行われるため、時間がかかるという問題があった。
【０００９】
また、多層ディスクの複数の記録層を論理的に連続した１つの記録領域として用いる場合、記録済み領域と未記録領域との境界を含む１つの記録層の記録管理領域を読み込めば必要十分であるにも拘わらず、その境界の位置を知るために、実際には複数の記録層の記録管理領域を先頭アドレス側から順次探索して行く必要あり、非効率であった。
【００１０】
さらには、追記後の記録管理領域の更新も多層ディスクの記録層毎に行う必要があった。
【００１１】
同様に、欠陥管理情報や、ＯＰＣにより得られたレーザ光強度などの最適記録条件などもそれぞれの記録層から読み込むとなると、これらの情報の取得にも時間がかかるという問題があった。
【００１２】
以上のような事情に鑑み、本発明の目的は、複数の光ディスクに対する記録時間の短縮を図ることのできるディスクカートリッジ、光記録方法および光記録システムを提供することにある。
【課題を解決するための手段】
【００１３】
上記目的を達成するため、本発明の一形態に係るディスクカートリッジは、それぞれ１以上の記録層を有する複数の光ディスクを着脱自在なディスクカートリッジであって、前記複数の光ディスクのうち少なくとも１つの光ディスクの、少なくとも１つの前記記録層に、前記複数の光ディスクの前記記録層に記録を行うための必要な記録管理情報が記録可能な記録管理情報領域が設けられる。
【００１４】
前記記録管理情報は、前記記録層毎の記録済み領域の先頭／終了アドレス情報を含むものであってよい。
前記記録管理情報が、ＰＣＡ（Ｐｏｗｅｒ Ｃａｌｉｂｒａｔｉｏｎ Ａｒｅａ）のアドレス情報と、当該ＰＣＡを用いたＯＰＣ（Ｏｐｔｉｍｕｍ Ｐｏｗｅｒ Ｃｏｎｔｒｏｌ）により得られた記録条件データが記録されたアドレス情報を含むものとしてもよい。
【００１５】
このように複数の光ディスクのうち少なくとも１つの光ディスクの、少なくとも１つの前記記録層に、前記複数の光ディスクの前記記録層に記録を行うための必要な記録管理情報が記録可能な記録管理情報領域が設けられることで、ユーザデータの記録あるいは追記前に、１機のディスクドライブを制御するだけでディスクカートリッジ単位の記録管理情報を取得することができる。このため、ディスクカートリッジから各光ディスクをディスクドライブに搬送してからユーザデータの記録が開始されるまでの時間を短縮することができ、全体的な記録時間を短縮できる。
【００１６】
本発明の別の形態に係る光記録方法は、それぞれ１以上の記録層を有する複数の光ディスクを着脱自在なディスクカートリッジから取り出された複数の光ディスクがそれぞれ個別に装填される複数のディスクドライブと、これらのディスクドライブと接続されたホスト装置とを準備し、前記複数の光ディスクのうち、少なくとも１つの光ディスクの少なくとも１つの前記記録層に、前記複数の光ディスクの前記記録層に記録を行うために必要な記録管理情報が前記ディスクカートリッジ単位の記録管理情報として記録可能な記録管理情報領域が設けられ、前記ホスト装置の制御部は、前記記録管理情報領域が設けられた少なくとも１つの光ディスクが装填される少なくとも１つの前記ディスクドライブに対して、当該ディスクカートリッジ単位の記録管理情報の読み込みを指示し、前記読み込まれた前記ディスクカートリッジ単位の記録管理情報をもとに、前記複数のディスクドライブに対してデータの記録のための一連の処理を実行するように指示し、それぞれのディスクドライブから前記処理の結果に関する情報を取得し、これらの情報をもとに前記ディスクカートリッジ単位の新たな記録管理情報を生成し、前記記録管理情報領域が設けられた少なくとも１つの光ディスクが装填される少なくとも１つの前記ディスクドライブに対して、当該ディスクカートリッジ単位の新たな記録管理情報の記録を指示する、というものである。
また、前記ホスト装置の制御部は、前記記録管理情報を取得しながら、同時に他の１以上の前記ディスクドライブを稼働させて記録を行うように制御を行うものであってよい。
【００１７】
本発明の別の形態に係る光記録システムは、それぞれ１以上の記録層を有する複数の光ディスクを着脱自在なディスクカートリッジから取り出された複数の光ディスクがそれぞれ個別に装填される複数のディスクドライブと、これらのディスクドライブと接続されたホスト装置とを具備し、前記複数の光ディスクのうち、少なくとも１つの光ディスクの少なくとも１つの前記記録層に、前記複数の光ディスクの前記記録層に記録を行うために必要な記録管理情報が前記ディスクカートリッジ単位の記録管理情報として記録可能な記録管理情報領域が設けられ、前記ホスト装置は、前記記録管理情報領域が設けられた少なくとも１つの光ディスクが装填される少なくとも１つの前記ディスクドライブに対して、当該ディスクカートリッジ単位の記録管理情報の読み込みを指示し、前記読み込まれた前記ディスクカートリッジ単位の記録管理情報をもとに、前記複数のディスクドライブに対してデータの記録のための一連の処理を実行するように指示し、それぞれのディスクドライブから前記処理の結果に関する情報を取得し、これらの情報をもとに前記ディスクカートリッジ単位の新たな記録管理情報を生成し、前記記録管理情報領域が設けられた少なくとも１つの光ディスクが装填される少なくとも１つの前記ディスクドライブに対して、当該ディスクカートリッジ単位の新たな記録管理情報の記録を指示する制御部を有する。
【発明の効果】
【００１８】
以上のように、本発明によれば、複数の光ディスクに対する記録時間の短縮を図ることができる。
【図面の簡単な説明】
【００１９】
【図１】本発明の一実施形態に係る光記録システムを示す図である。
【図２】図１の光記録システムにおけるディスクカートリッジ、多層光ディスク、およびドライブユニットの関係を示す図である。
【図３】多層光ディスクの構造を示す断面図である。構成を示す断面図である。
【図４】ディスクカートリッジにおいて記録管理情報が記録される記録層の物理フォーマットを示す図である。
【図５】図４の記録管理情報のブロックのデータ構造を示す図である。
【図６】本実施形態の光記録システムにおけるディスクドライブの構成を示す図である。
【図７】本実施形態の光記録システムにおいて各ディスクドライブからホスト装置へのディスク識別子の転送を示す図である。
【図８】本実施形態の光記録システムにおいてブランクの各多層光ディスクに対する記録時のユーザデータの転送を示す図である。
【図９】本実施形態の光記録システムにおいてブランクの各多層光ディスクに対する記録時の、各ディスクドライブからホスト装置への記録結果に関する情報の転送と、ホスト装置から第１のディスクドライブへのディスクカートリッジ単位の記録管理情報の転送を示す図である。
【図１０】本実施形態の光記録システムにおいて各多層光ディスクに対する追記時の第１のディスクドライブからホスト装置へのディスクカートリッジ単位の記録管理情報の転送を示す図である。
【図１１】本実施形態の光記録システムにおいて各多層光ディスクに対する追記時の、各ディスクドライブからホスト装置への記録結果に関する情報の転送と、ホスト装置から第１のディスクドライブへのディスクカートリッジ単位の記録管理情報の転送を示す図である。
【図１２】本実施形態の光記録システムにおいて各多層光ディスクに対する追記時のホスト装置から第１のディスクドライブへのディスクカートリッジ単位の記録管理情報の転送を示す図である。
【図１３】本発明に係る実施形態の光記録システムの変形例を説明するための図である。
【発明を実施するための形態】
【００２０】
以下、図面を参照しながら、本発明の実施形態を説明する。
図１は、本発明の一実施形態に係る光記録システムを示す図である。
【００２１】
図１は光記録システムの全体の構成を示す図である。
この光記録システム１は、ディスクカートリッジ１０と、ディスク搬送機構２０と、ドライブユニット３０と、ＲＡＩＤコントローラ４０と、ホスト装置５０とを備える。以下、それぞれの詳細について説明する。
【００２２】
［ディスクカートリッジ１０］
ディスクカートリッジ１０は、複数の多層光ディスク１１が個別に着脱自在に収容されるユニットである。なお、本発明においては、ディスクカートリッジ１０に収納される光ディスクは必ずしも多層光ディスクである必要はなく、１以上の記録層を有する光ディスクであればよい。
【００２３】
ディスクカートリッジ１０内での複数の多層光ディスク１１の収容形態としては平積み、縦並びなどが想定される。いずれの場合も、ディスクカートリッジ１０に対して多層光ディスク１１の出し入れが円滑に行われるように、隣り合う多層光ディスク１１間には一定の隙間が設けられることが好ましい。ディスクカートリッジ１０の形状は、ユーザによるハンドリング性、多層光ディスク１１の収納効率などの点から、例えば直方体形状、円筒形状などが想定される。図１の例では、複数の多層光ディスク１１を平積みで収容した直方体形状のディスクカートリッジ１０が用いられる。
【００２４】
図２は、ディスクカートリッジ１０、多層光ディスク１１およびドライブユニット３０の構成を示す図である。
ディスクカートリッジ１０の少なくとも一つの側面には多層光ディスク１１の出し入れのための開口部１０１と、この開口部１０１を開閉する扉（図示せず）とが設けられている。扉はディスク搬送機構２０によるディスクカートリッジ１０からの多層光ディスク１１の出し入れの動作と連動して開閉され、その他のときは閉状態とされる。
【００２５】
なお、本発明において、ディスクカートリッジ１０の構成は図２のものに限定されない。ディスクカートリッジ１０の形状、開口部の数や位置、扉の有無、複数の多層光ディスク１１の収容形態など、様々な変形が可能である。
【００２６】
［多層光ディスク１１］
本実施形態においては、ディスクカートリッジ１０に収容される多層光ディスク１１は、ガイド層と記録層とが別々の層に分離して形成された、いわゆる「ガイド層分離型多層光ディスク」である場合を想定している。
【００２７】
図３は多層光ディスク１１の構造を示す断面図である。
多層光ディスク１１は、ガイド層１１２と１以上の記録層１１３とを有する。同図の多層光ディスク１１の例では記録層１１３の層数は"４"である。ガイド層１１２とこれに最も近い記録層１１３との間、隣り合う記録層１１３の間との間には光透過性を有する中間層１１４がそれぞれ介層されている。これらの層は、光ピックアップ３２からの記録再生光Ｒ１およびガイド光Ｒ２が入射される側から、保護層１１５、記録層１１３、中間層１１４、記録層１１３、中間層１１４、記録層１１３、中間層１１４、記録層１１３、中間層１１４、ガイド層１１２の順に積層配置される。
【００２８】
ガイド層１１２において記録層１１３に対向する側の面には、ランド・グルーブ構造によるガイドトラック１２１が螺旋状に設けられている。ガイドトラック１２１の側壁面にはウォブルによって、ディスク全周にわたる位置情報を示す物理アドレス情報が記録されている。ガイドトラック１２１は、例えばＤＶＤ（Ｄｉｇｉｔａｌ Ｖｅｒｓａｔｉｌｅ Ｄｉｓｋ）の記録再生に用いられる赤色レーザ光に対応するトラックピッチ（０．６４μｍ）で形成される。ランドとグルーブ間のピッチの平均は０．３２μｍである。以後、赤色レーザ光のレーザ光を「ガイド光」と呼ぶ。
【００２９】
本実施形態では、ランド・グルーブ記録を想定しているため、ランド部とグルーブ部が螺旋状に連続するガイドトラック１２１として用いられる。したがって、ガイドトラック１２１のピッチは０．３２μｍとなる。
【００３０】
ガイド層１１２のガイドトラック１２１のトラッキングには、ＤＶＤの記録再生に用いられる赤色波長（第２の波長）のレーザ光が用いられる。以降において第２の波長のレーザ光を「ガイド光」と呼ぶ場合がある。
【００３１】
本実施形態の光記録システム１では、ガイドトラック１２１のランド部とグルーブ部のそれぞれにおいて、例えば、差動プッシュプル法（ＤＰＰ：Ｄｉｆｆｅｒｅｎｔｉａｌ Ｐｕｓｈ-Ｐｕｌｌ）などによるトラッキング制御が行われる。ガイドトラック１２１のランド部とグルーブ部のそれぞれにおいてトラッキング制御が行われることで、記録層１１３に対する情報の記録は０．３２μｍのトラックピッチで行うことが可能である。
以上がガイド層１１２の説明である。
【００３２】
記録層１１３は、例えばブルーレイディスク（登録商標）の記録再生に用いられる青色波長（第１の波長）のレーザ光を用いて０．３２μｍのトラックピッチで情報の記録が行われる層である。以後、第１の波長のレーザ光を「記録再生光」または「記録光」と呼ぶ場合がある。
【００３３】
記録層１１３は、例えば光吸収層と反射層等とにより構成される。光吸収層としてはシアニン系色素やアゾ系色素等の有機色素や、Ｓｉ、Ｃｕ、Ｓｂ、Ｔｅ、Ｇｅ等の無機材料が用いられる。記録光が多層光ディスク１１における目的の記録層１１３に照射されると、その記録光が照射された領域の反射率が変化し、反射率が変化した領域がピットとして形成されることで、記録層１１３に情報が記録される。
【００３４】
なお、記録層１１３への情報の記録時および再生時のトラッキング制御および物理アドレス情報、ならびに記録クロックなどの記録クロックの取得は、ガイド層１１２のガイドトラック１２１のウォブル信号を用いて行われるため、記録層１１３にはランド・グルーブ構造によるガイドトラック１２１は不要である。したがって、記録層１１３の表面は平坦でよい。
【００３５】
［ディスクカートリッジ単位の記録管理情報］
図４はディスクカートリッジ単位の記録管理情報のデータ構造を示す図である。
この例では、ディスクカートリッジ１０に５枚の多層光ディスク１１が平積み形で収納される場合を想定する。５枚の多層光ディスク１１を下側のものから第１の多層光ディスク１１−１、第２の多層光ディスク１１−２、第３の多層光ディスク１１−３、第４の多層光ディスク１１−４、第５の多層光ディスク１１−５とそれぞれ表記する。
【００３６】
上記５枚の多層光ディスク１１のうち少なくともいずれか１つの多層光ディスクの、少なくともいずれか１つの記録層には、ディスクカートリッジ１０に収納された複数の多層光ディスクに関する記録管理情報がまとめて記録される記録管理領域が設けられている。ディスクカートリッジ１０に収納された複数の多層光ディスクに関する記録管理情報のことを「ディスクカートリッジ単位の記録管理情報」と適宜呼ぶこととする。
【００３７】
ここで、図４に示したように、記録管理領域が５枚の多層光ディスク１１のうち第１の多層光ディスク１１−１の記録層Ｌ０に設けられる場合を想定する。
【００３８】
当該記録層Ｌ０には、内周側より少なくともＰＣＡ、ＣＭＡ、ユーザデータ領域などが順に設けられている。
ＰＣＡ（Ｐｏｗｅｒ Ｃａｌｉｂｒａｔｉｏｎ Ａｒｅａ）は当該記録層Ｌ０のＯＰＣ（Ｏｐｔｉｍｕｍ Ｐｏｗｅｒ Ｃｏｎｔｒｏｌ）に用いられる領域である。
ユーザデータ領域は、ユーザデータの記録に用いられる領域である。
ＣＭＡ（Ｃａｒｔｒｉｄｇｅ Ｍａｎａｇｍｅｎｔ Ａｒｅａ）はディスクカートリッジ単位の記録管理情報がまとめて記録される記録管理領域である。ＣＭＡはｎ個のブロック（ｂｌｏｃｋ＿１〜ｂｌｏｃｋ＿ｎ）で構成される。
【００３９】
図５はＣＭＡのブロックのデータ構造を示す図である。
ブロックは、１組の記録管理情報を構成するデータで構成される。具体的には、１組の記録管理情報は、ディスク識別子、ＰＣＡアドレス、ＯＰＣデータアドレス、記録済み領域の先頭／終了アドレス、欠陥管理情報などで構成される。
【００４０】
ディスク識別子は、多層光ディスク１１の識別子である。例えば、多層光ディスク１１には当該多層光ディスク１１をユニークに識別するＩＤを含むディスク固有の情報が記録されたＢＣＡ（Ｂｕｒｓｔ Ｃｕｔｔｉｎｇ Ａｒｅａ）などが設けられる。この場合には、当該ＢＣＡに記録されているＩＤがディスク識別子として利用される。
【００４１】
ＰＣＡアドレスは、ディスク識別子が示す多層光ディスク１１の各記録層に割り当てられたＰＣＡの多層光ディスク１１上の物理アドレスを示す情報である。ディスクドライブ３０はこのＰＣＡを用いて記録層毎のＯＰＣ処理を実行する。なお、多層光ディスク１１上の物理アドレスは、複数の記録層の記録領域全体が一つのアドレス空間を形成するように複数の記録層の記録領域全体に予め割り当てられたアドレスである。
【００４２】
ＯＰＣデータアドレスは、ＯＰＣ処理によって得られた最適な記録レーザパワーの値などのＯＰＣデータが記録される領域の物理アドレスを示す情報である。
【００４３】
記録済み領域の先頭／終了アドレスは、ディスク識別子が示す多層光ディスク１１の記録層のユーザデータ領域においてユーザデータの記録済みの領域の物理アドレスを示す情報である。
【００４４】
欠陥管理情報は、ディスク識別子が示す多層光ディスク１１の記録層において欠陥領域のアドレスと交替領域のアドレスとの対応を示す情報である。
【００４５】
なお、ディスクカートリッジ１０内の第１の多層光ディスク１１−１以外の多層光ディスク１１−２、１１−３、１１−４、１１−５における記録管理情報の記録に関しては次のような選択がある。
１．ディスクカートリッジ１０内の第１の多層光ディスク１１−１以外の多層光ディスク１１−２、１１−３、１１−４、１１−５には記録管理情報は記録されない。
２．記録層の劣化などにより第１の多層光ディスク１１−１からのＣＭＡの読み込み不可が発生した場合などに備え、第１の多層光ディスク１１−１以外の多層光ディスク１１−２、１１−３、１１−４、１１−５の少なくとも一つにＣＭＡのコピーを記録する。すなわち、ディスクカートリッジ１０内においてディスクカートリッジ単位の記録管理情報を多重に記録する。
【００４６】
また、記録管理領域が設けられる記録層は、第１の多層光ディスク１１−１の記録層Ｌ０に限定されない。図３において、例えば、第１の多層光ディスク１１−１の記録層Ｌ０以外の記録層である記録層Ｌ１から記録層Ｌ３のいずれかに設けられてもよい。また、記録管理領域は１つの記録層に設けられるとは限らず、複数の記録層に分けて設けられてもよい。あるいは、複数の記録層に多重に記録管理情報が記録されるように記録管理領域が設けられてもよい。
【００４７】
［ディスク搬送機構２０］
ディスク搬送機構２０は、ディスクカートリッジ１０から目的の多層光ディスク１１を取り出してドライブユニット３０内のディスクドライブ３１に装填したり、逆にディスクドライブ３１から排出された多層光ディスク１１をディスクカートリッジ１０に戻したりするための機構である。
【００４８】
ディスク搬送機構２０は、例えば、ディスクカートリッジ１０から同時あるいは順番連続して複数の多層光ディスク１１を取り出し、ドライブユニット３０内の複数のディスクドライブ３１に別々に装填することができるように、独立して動作可能な複数の搬送機構を備えたものであってもよい。
【００４９】
［ドライブユニット３０］
ドライブユニット３０には複数のディスクドライブ３１が搭載される。同図の例では、５機のディスクドライブ３１が搭載される。ディスクカートリッジ１０に収容される多層光ディスク１１の数とドライブユニット３０内に搭載されるディスクドライブ３１の数は必ずしも同じとする必要はない。
【００５０】
（ディスクドライブ３１の構成）
図６はディスクドライブ３１の構成を示す図である。
ディスクドライブ３１は、光ピックアップ３２を備える。
この光ピックアップ３２は、記録再生光に対応する第１の光学系と、ガイド光に対応する第２の光学系とを備える。
【００５１】
第１の光学系は、第１の光源３３、第１のコリメータレンズ３４、第１の偏光ビームスプリッタ３５、第１のリレーレンズ３６、第２のコリメータレンズ３７、合成プリズム３８、１／４波長板３９、対物レンズ６０、第１の受光レンズ６１および第１の受光部６２などで構成される。ここで、合成プリズム３８、１／４波長板３９、対物レンズ６０は、当該第１の光学系と後述する第２の光学系の両方に属する。
【００５２】
第１の光源３３は第１の波長のレーザ光を記録再生光Ｒ１として出射するレーザダイオードを備える。第１の光源３３から出射された記録再生光Ｒ１は第１のコリメータレンズ３４によって平行光とされ、第１の偏光ビームスプリッタ３５、第１のリレーレンズ３６及び第２のコリメータレンズ３７を介して合成プリズム３８に入射する。合成プリズム３８は、第２のコリメータレンズ３７から入射される記録再生光Ｒ１と、後述する第２の光学系に属する第３のコリメータレンズから入射されるガイド光Ｒ２とを互いの光軸が一致するように合成し、１／４波長板３９を介して対物レンズ６０に入射させる。対物レンズ６０にて、入射された記録再生光は、多層光ディスク１１の目的の記録層１１３）に合焦させるように集光される。
【００５３】
記録層１１３によって反射された記録再生光（戻り光）は、対物レンズ６０、１／４波長板３９を介して合成プリズム３８に入射し、合成プリズム３８を入射方向のまま透過して、第２のコリメータレンズ３７及び第１のリレーレンズ３６を介して第１の偏光ビームスプリッタ３５に戻る。第１の偏光ビームスプリッタ３５は、第１のリレーレンズ３６からの第１の波長の戻り光を約９０度の角度で反射して第１の受光レンズ６１を介して第１の受光部６２に入射させる。
【００５４】
第１の受光部６２は、受光面がディスク半径方向とタンジェンシャル方向に４分割された受光素子で構成され、分割された受光面毎に受光強度に応じたレベルの電圧信号を出力し、これらを加算した信号を記録データの再生信号として等化器７５に出力し、分割された受光面毎の電圧信号を図示しないフォーカスエラー生成部などに出力する。
【００５５】
第２の光学系は、第２の光源６３、第３のコリメータレンズ６４、第２の偏光ビームスプリッタ６５、第２のリレーレンズ６６、第４のコリメータレンズ６７、合成プリズム３８、１／４波長板３９、対物レンズ６０、第２の受光レンズ６８および第２の受光部６９などで構成される。
【００５６】
第２の光源６３は、第２の波長のガイド光Ｒ２を出射する。第２の光源６３から出射されたガイド光Ｒ２は第３のコリメータレンズ６４によって平行光とされ、第２の偏光ビームスプリッタ６５、第２のリレーレンズ６６及び第４のコリメータレンズ６７を介して合成プリズム３８に入射する。合成プリズム３８に入射されたガイド光Ｒ２は、前述したように、合成プリズム３８にて第１の光学系の第２のコリメータレンズ３７から入射される第１の波長の記録再生光Ｒ１と光軸が一致するように合成され、１／４波長板３９を介して対物レンズ６０に入射される。対物レンズ６０にて、入射されたガイド光Ｒ２は多層光ディスク１１のガイド層１１２に合焦させるように集光される。
【００５７】
ガイド層１１２によって反射されたガイド光Ｒ２（戻り光）は、対物レンズ６０、１／４波長板３９を介して合成プリズム３８に入射し、合成プリズム３８にて約９０度の角度で反射され、第４のコリメータレンズ６７及び第２のリレーレンズ６６を介して第２の偏光ビームスプリッタ６５に戻る。第２の偏光ビームスプリッタ６５は、第２のリレーレンズ６６からのガイド光Ｒ２の戻り光を、約９０度の角度で反射して第２の受光レンズ６８を介して第２の受光部６９に入射させる。
【００５８】
第２の受光部６９は、例えば、受光面がトラックと直交するディスク半径方向に２分割された受光素子、あるいは、受光面がディスク半径方向とタンジェンシャル方向に４分割された受光素子、あるいは受光面が少なくとも２分割されたメインの受光素子とこのメインの受光素子のタンジェンシャル方向の両側にそれぞれ配置され、２分割された２つのサブの受光素子との組み合わせ、などで構成される。第２の受光部６９は、分割された各受光面の受光強度に応じたレベルの電圧信号を選択的にトラッキング制御部７１およびウォブル信号処理部７８などに出力する。
【００５９】
また、光ピックアップ３２には、トラッキングアクチュエータ７０とフォーカシングアクチュエータ（図示せず）が設けられている。トラッキングアクチュエータ７０はトラッキング制御部７１からのトラッキング駆動信号をもとに対物レンズ６０をディスク半径方向に移動させる。フォーカシングアクチュエータは、図示しないフォーカス制御部からのフォーカス駆動信号により対物レンズ６０を光軸方向に移動させる。
【００６０】
さらに、図示は省略したが、光ピックアップ３２には、記録再生光が照射される記録層１１３を切り替えるように第１のリレーレンズ３６を光軸方向に移動させる第１のリレーレンズアクチュエータと、第２のリレーレンズ６６を光軸方向に移動させる第２のリレーレンズアクチュエータが設けられている。
以上が、光ピックアップ３２の説明である。
【００６１】
ディスクドライブ３１は、上記の光ピックアップ３２のほか、データ変調部７２、第１の光源駆動部７３、第２の光源駆動部７４、等化器７５、データ再生部７６、トラッキング制御部７１、ウォブル信号処理部７８、ディスクモータ駆動部７９、フィード機構８０、コントローラ８２、さらには図示しないフォーカス制御部、リレーレンズ制御部などを有する。
【００６２】
データ変調部７２は、コントローラ８２より供給された記録用のデータを記録マークの形成に適したビット列信号に変調し、変調信号を第１の光源駆動部７３に供給する。
【００６３】
第１の光源駆動部７３は、データ変調部７２からの変調信号をもとに第１の光源３３を駆動するための駆動パルスを生成する。
【００６４】
等化器７５は、第１の受光部６２からの再生ＲＦ信号に対して、例えばＰＲＭＬ（Ｐａｒｔｉａｌ Ｒｅｓｐｏｎｓｅ Ｍａｘｉｍｕｍ Ｌｉｋｅｌｉｈｏｏｄ）などの等化処理を行ってから所定のスライスレベルで二値化する。
【００６５】
データ再生部７６は、等化器７５より出力された二値信号からデータを復調し、復調されたデータから誤り訂正などの復号処理を行って再生データを生成し、コントローラ８２に供給する。
【００６６】
トラッキング制御部７１は、第２の受光部６９の分割された各受光面の電圧信号をもとに、例えばＰＰ（プッシュプル）法あるいはＤＰＰ（差動プッシュプル）法などによってトラッキングエラー信号を生成し、このトラッキングエラー信号をもとにトラッキングアクチュエータ７０に供給するトラッキング駆動信号を生成する。また、トラッキング制御部７１は、フラグ処理部８３からのトラッキングサーボ極性の切り替え信号を受け、トラッキング駆動信号の極性つまり対物レンズ６０を移動させる方向をディスク半径方向の＋方向（ディスク外周に向かう方向）と−方向（ディスク内周に向かう方向）とで切り替える。
【００６７】
ウォブル信号処理部７８は、第２の受光部６９の出力をもとにウォブル信号を再生し、物理アドレス情報を復調してコントローラ８２に供給する。また、ウォブル信号処理部７８はウォブル信号から基準の記録クロックを生成する。
【００６８】
ディスクモータ駆動部７９は、ディスクモータ制御部８１による制御のもと多層光ディスク１１を回転駆動させるディスクモータ８５に駆動信号を供給する。
【００６９】
フィード機構８０は、光ピックアップ３２を多層光ディスク１１の半径方向に搬送する機構である。
【００７０】
図示しないフォーカス制御部は、図示しないフォーカスエラー生成部からのフォーカスエラー信号をもとにフォーカシングアクチュエータにフォーカス駆動信号を供給して対物レンズ６０を光軸方向に移動させる。
【００７１】
コントローラ８２は、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）などを備える。コントローラ８２は、ＲＡＭに割り当てられたメインメモリの領域にロードされたプログラムに基づいて、ディスクドライブ３１の全体の制御を行う。
【００７２】
ドライブユニット３０には、上記のディスクドライブ３１が複数搭載され、それぞれ独立して制御可能とされ、装填された多層光ディスク１１に対する情報の記録および再生をそれぞれ同時に行うことができる。
【００７３】
［ＲＡＩＤコントローラ４０］
ＲＡＩＤ（Ｒｅｄｕｎｄａｎｔ Ａｒｒａｙｓ ｏｆ Ｉｎｅｘｐｅｎｓｉｖｅ Ｄｉｓｋｓ）コントローラ４０は、ホスト装置５０からの記録命令などに対して、ドライブユニット３０内の１以上のディスクドライブ３１にデータを多重に記録したり、ストライピングにより分散して記録したりするＲＡＩＤ制御を行う。
【００７４】
ＲＡＩＤコントローラ４０より記録または再生の指示が与えられたそれぞれのディスクドライブ３１のコントローラ８２は、多層光ディスク１１に対してデータを記録したり再生したりするための制御を行う。
【００７５】
以上、ディスクドライブ３１の構成について説明したが、ドライブユニット３０内には複数のディスクドライブ３１が搭載されており、これらのディスクドライブ３１を個々に示す場合には、図１および図２において下のものから、第１のディスクドライブ３１−１、第２のディスクドライブ３１−２、第３のディスクドライブ３１−３、第４のディスクドライブ３１−４、第５のディスクドライブ３１−５と呼ぶ。
【００７６】
［ホスト装置５０］
ホスト装置５０は、本光記録システム１を制御する最上位の装置である。ホスト装置５０はパーソナルコンピュータでもよい。ホスト装置５０は、記録用のデータを作成または準備し、ＲＡＩＤコントローラ４０に対して当該記録用のデータの記録命令を供給する。また、ホスト装置５０は、ユーザなどより指定されたファイル名を含む読出命令をＲＡＩＤコントローラ４０に供給し、ＲＡＩＤコントローラ４０よりその応答として該当するファイル名のデータを取得する。
【００７７】
［光記録システム１の動作］
次に、この光記録システム１の動作を説明する。
【００７８】
（ディスクドライブによる多層光ディスクへの基本的な記録動作）
ホスト装置５０からＲＡＩＤコントローラ４０を通じて、ドライブユニット３０内の１以上のディスクドライブ３１のコントローラ８２にユーザデータの記録命令がそれぞれ与えられる。記録命令を受けたときの各ディスクドライブ３１の動作は同様であるため、一つのディスクドライブ３１の動作について説明する。
【００７９】
ディスクドライブ３１のコントローラ８２は、光ピックアップ３２を多層光ディスク１１の記録層１１３の記録領域においてデータが未記録の領域の最内周に対応する位置にそれぞれ移動させるようにフィード機構８０を制御するとともに、ディスクモータ駆動部７９を制御してディスク１１をＣＬＶ方式またはＣＡＶ方式において適切な速度で回転駆動させる。
【００８０】
さらに、コントローラ８２は、多層光ディスク１１の目的の記録層１１３に光ピックアップ３２の対物レンズ６０からの記録光が焦点をむすぶように、光ピックアップ３２の第１のリレーレンズ３６の光軸方向の位置を制御するとともに、多層光ディスク１１のガイド層１１２に光ピックアップ３２の対物レンズ６０からのガイド光が焦点をむすぶように光ピックアップ３２の第２のリレーレンズ６６の光軸方向の位置を制御する。
【００８１】
ディスクドライブ３１のコントローラ８２は、ホスト装置５０からＲＡＩＤコントローラ４０を通じて転送されてきた記録用のデータをデータ変調部７２に供給する。データ変調部７２では、記録用のデータの変調およびエラー訂正符号の付加などが行われることによって記録信号が生成され、第１の光源駆動部７３に供給される。第１の光源駆動部７３は、記録信号をもとに第１の光源３３の駆動用パルスを生成して第１の光源３３に供給する。同時にコントローラ８２は、第２の光源６３を駆動するように第２の光源駆動部７４に制御信号を出力する。これにより光ピックアップ３２からの記録光による記録層１１３へのデータの記録が開始される。すなわち、多層光ディスク１１の目的の記録層１１３に対して内周から外周へ向けてＣＬＶ方式またはＣＡＶ方式でのデータ記録が開始される。
【００８２】
（記録管理情報に関連する動作）
次に、記録管理情報に関連する動作を、
１．ブランクディスクに対する記録時の動作
２．追記時の動作
の順で説明する。
【００８３】
１．ブランクディスクに対する記録時の動作
図７ないし図９は、ブランクディスクに対する記録時の動作の概念図である。
まず、ディスク搬送機構２０によって、ディスクカートリッジ１０内の複数のブランクの多層光ディスク１１がドライブユニット３０内の複数のディスクドライブ３１にそれぞれ装填される。
【００８４】
ドライブユニット３０内の各ディスクドライブ３１はそれぞれ、多層光ディスク１１が装填されたことを検出すると、例えば、当該多層光ディスク１１のＢＣＡを読み込むなどしてディスク識別子ＩＤ＿１〜ＩＤ＿５（図７参照）を取得し、取得したディスク識別子ＩＤ＿１〜ＩＤ＿５をホスト装置５０に転送する。
【００８５】
ホスト装置５０のＣＰＵ（Ｃｅｎｔｒａｌ Ｐｒｏｃｅｓｓｉｎｇ Ｕｎｉｔ）５１は、それぞれのディスクドライブ３１から転送されたディスク識別子ＩＤ＿１〜ＩＤ＿５を受け取り、ディスクドライブ３１に予め割り当てられたドライブＩＤとディスク識別子ＩＤ＿１〜ＩＤ＿５との対応テーブルを作成して、例えばＲＡＭ（Ｒａｎｄｏｍ Ａｃｃｅｓｓ Ｍｅｍｏｒｙ）などのメモリ５２に保存する。
【００８６】
前提条件として、
１．ＣＭＡはディスクカートリッジ１０内の一番下の第１の多層光ディスク１１−１の記録層Ｌ０に記録される。
２．第１の多層光ディスク１１−１がドライブユニット３０内の一番下の第１のディスクドライブ３１−１に装填される。
こととする。
【００８７】
ホスト装置５０のＣＰＵ５１は、ドライブユニット３０内の各ディスクドライブ３１に多層光ディスク１１が装填された後、ドライブユニット３０内の第１のディスクドライブ３１−１に対してＣＭＡの読み込みを指示する。第１のディスクドライブ３１−１に装填された第１の多層光ディスク１１−１がブランクディスクである場合、第１のディスクドライブ３１−１はＣＭＡからの記録管理情報の読み込みに失敗し、ホスト装置５０にこの旨を通知する。ホスト装置５０のＣＰＵ５１は、この通知により、ドライブユニット３０内の各ディスクドライブ３１に装填された各多層光ディスク１１がブランクディスクであることを判定する。
【００８８】
この後、ドライブユニット３０内の各ディスクドライブ３１に装填されたブランクの多層光ディスク１１に対して、ＯＰＣ処理、ユーザデータの記録処理および欠陥交替処理などを含む、ユーザデータＵＤ＿１〜ＵＤ＿５（図８参照）の記録のための一連の処理が実行される。
【００８９】
ブランクの多層光ディスク１１に対する記録の際には、ＯＰＣ処理によって記録層毎に予め割り当てられたＰＣＡの一部が内周側より消費され、ユーザデータの記録によって記録層毎に予め割り当てられたユーザデータ領域の少なくとも一部が内周側より消費される。
【００９０】
各ディスクでライブ３１においてユーザデータの記録のための一連の処理が完了すると、それぞれのディスクドライブ３１のコントローラ８２からホスト装置５０に、記録結果に関する情報ＲＤ＿１〜ＲＤ＿５（図９参照）として、ＯＰＣ処理によって消費されたＰＣＡ内のアドレス、このＯＰＣ処理の結果得られた最適記録レーザパワーの値などのＯＰＣデータが記録されたアドレス、ユーザデータ領域における記録済み領域の先頭／終了アドレス、欠陥管理情報などが転送される。
【００９１】
ホスト装置５０のＣＰＵ５１は、ディスクドライブ３１毎に取得した上記各情報ＲＤ＿１〜ＲＤ＿５に、当該ディスクドライブのドライブＩＤに対応するディスク識別子などの情報を付加して多層光ディスク毎の記録管理情報を作成し、これらをディスクカートリッジ単位の記録管理情報ＣＭＡ＿１（図９参照）として、第１の多層光ディスク１１−１の記録層Ｌ０に予め割り当てられたＣＭＡの空き領域の内周側より記録するように、第１のディスクドライブ３１−１に指示する。この指示に従って、第１のディスクドライブ３１−１は、当該第１の多層光ディスク１１−１の記録層Ｌ０のＣＭＡにディスクカートリッジ単位の記録管理情報ＣＭＡ＿１を記録する。
以上が、ドライブユニット３０内の各ディスクドライブ３１に装填されたブランクの多層光ディスク１１に対するユーザデータの記録時の動作説明である。
【００９２】
２．追記時の動作
続いて、ユーザデータが既に記録された多層光ディスク１１を含む複数の多層光ディスク１１がドライブユニット３０内の各ディスクドライブ３１に装填された場合にユーザデータを追記する場合の動作を説明する。
【００９３】
図１０ないし図１２は追記時の動作の概念図である。
ホスト装置５０のＣＰＵ５１は、ドライブユニット３０内の各ディスクドライブ３１に多層光ディスク１１が装填された後、各ディスクドライブ３１から装填された多層光ディスク１１のディスク識別子ＩＤ＿１〜ＩＤ＿５（図７参照）を同様に取得し、ドライブＩＤとディスク識別子ＩＤ＿１〜ＩＤ＿５との対応テーブルを作成して、例えばＲＡＭ（Ｒａｎｄｏｍ Ａｃｃｅｓｓ Ｍｅｍｏｒｙ）などのメモリ５２に保存する。
【００９４】
次に、ホスト装置５０のＣＰＵ５１は、ドライブユニット３０内の第１のディスクドライブ３１−１に対してＣＭＡの読み込みを指示する。第１のディスクドライブ３１−１に装填された第１の多層光ディスク１１−１の記録層Ｌ０のＣＭＡに既にディスクカートリッジ単位の有効な記録管理情報ＣＭＡ＿１が記録されている場合、第１のディスクドライブ３１−１は当該ＣＭＡからディスクカートリッジ単位の記録管理情報ＣＭＡ＿１を読み込み、ホスト装置５０に転送する（図１０参照）。
【００９５】
ホスト装置５０のＣＰＵ５１は、第１のディスクドライブ３１−１からのディスクカートリッジ単位の記録管理情報ＣＭＡ＿１の取得に成功すると、この記録管理情報ＣＭＡ＿１をメモリ５２にストアする。
【００９６】
以後、ドライブユニット３０内のそれぞれのディスクドライブ３１において、ＯＰＣ処理、ユーザデータの記録処理および欠陥交替処理などを含む、ユーザデータＵＤ＿１１〜ＵＤ＿１５（図１１参照）の追記のための一連の処理が、メモリ５２にストアされたディスクカートリッジ単位の記録管理情報ＣＭＡ＿１を参照して行われる。
【００９７】
各ディスクでライブ３１においてユーザデータＵＤ＿１１〜ＵＤ＿１５の追記のための一連の処理が完了すると、それぞれのディスクドライブ３１のコントローラ８２からホスト装置５０に、記録結果に関する情報ＲＤ＿１１〜ＲＤ＿１５（図１２参照）として、ＯＰＣ処理によって消費されたＰＣＡ内のアドレスの情報、このＯＰＣ処理の結果得られた最適記録レーザパワーの値などのＯＰＣデータが記録されたアドレスの情報、ユーザデータ領域における記録済み領域の先頭／終了アドレスの情報、欠陥管理情報などが転送される。
【００９８】
ホスト装置５０のＣＰＵ５１は、ディスクドライブ３１毎に取得した上記各情報ＲＤ＿１１〜ＲＤ＿１５に、当該ディスクドライブのドライブＩＤに対応するディスク識別子などの情報を付加して多層光ディスク毎の記録管理情報を作成し、これらをディスクカートリッジ単位の記録管理情報ＣＭＡ＿２（図１１参照）として、第１の多層光ディスク１１−１の記録層Ｌ０のＣＭＡの空き領域の内周側より記録するように、第１のディスクドライブ３１−１に指示する。この指示に従って、第１のディスクドライブ３１−１は、当該第１の多層光ディスク１１−１の記録層Ｌ０のＣＭＡにディスクカートリッジ単位の記録管理情報ＣＭＡ＿２を記録する。
【００９９】
複数の多層光ディスク１１に対して再度ユーザデータの追記が行われる際、第１のディスクドライブ３１−１は、ホスト装置５０からのＣＭＡの読み込み指示に対して、第１の多層光ディスク１１−１の記録層Ｌ０のＣＭＡから、ディスクカートリッジ単位の記録管理情報ＣＭＡ＿２を読み込み、ホスト装置５０に転送する。
【０１００】
［効果等］
この実施形態の光記録システム１では、ディスクカートリッジ１０単位の複数の多層光ディスク１１のうち少なくともいずれか１つの多層光ディスク１１（第１の多層光ディスク１１−１）の、少なくともいずれか１つの記録層１１３にディスクカートリッジ１０単位の記録管理情報がまとめて記録される。このことにより、それぞれの多層光ディスクに記録管理情報が個別に記録される方式（比較例方式１）や、それぞれの多層光ディスクのそれぞれの記録層に記録管理情報が個別に記録される方式（比較例方式２）に比較して、次のような効果を期待できる。
【０１０１】
すなわち、この光記録システム１において、ホスト装置５０は、ユーザデータの記録あるいは追記前に、ドライブユニット３０内の１機のディスクドライブ３１とやりとりするだけでディスクカートリッジ１０単位の記録管理情報を取得することができる。このため、ホスト装置がすべてのディスクドライブとの間で記録管理情報をやりとりする比較例方式１や、ホスト装置がすべてのディスクドライブとの間で記録管理情報をやりとりするのみならず、個々のディスクドライブにおいて、記録管理情報を読み込むためにフォーカスを合わせる記録層を切り替える必要がある比較例方式２に比較して、ディスクカートリッジ１０の投入からユーザデータの記録が開始されるまでの時間を短縮することができ、全体的な記録時間を短縮できる。
【０１０２】
＜変形例１＞
次に、上記の実施形態の光記録システム１の変形例を説明する。
図１３に示すように、ディスクカートリッジ１０Ａ単位の記録管理情報を当該記録管理情報専用の光ディスク１１−６に記録するようにしてもよい。記録管理情報専用の光ディスク１１−６は、例えば、ＣＤ−ＲＷ、ＤＶＤ−ＲＷ、ＤＶＤ＋ＲＷ、ブルーレイディスクなど、ガイド層のない書き換え可能型の光ディスクでよいし、ガイド層付き光ディスクであってもよい。ガイド層のない書き換え可能型の光ディスクを用いた場合には、ドライブユニット３０に専用のディスクドライブを組み込む必要がある。
【０１０３】
＜変形例２＞
ディスクカートリッジ１０単位の記録管理情報がまとめて記録される第１の多層光ディスク１１−１から優先してディスクカートリッジ１０から第１のディスクドライブ３１−１に搬送されるようにディスク搬送機構２０を動作させる。搬送完了後、直ちにホスト装置５０が第１のディスクドライブ３１−１にディスクカートリッジ１０単位の記録管理情報の読み込みを指示する。これにより、ディスクカートリッジ１０の交換からユーザデータの記録あるいは追記が開始されるまでの時間をよりいっそう短縮することができる。
【０１０４】
＜変形例３＞
複数の多層光ディスク１１へのユーザデータの記録終了後、第１の多層光ディスク１１−１に対する記録管理情報の更新中に他の多層光ディスク１１をディスクカートリッジ１０に戻すようにディスク搬送機構２０を動作させる。これにより、複数の多層光ディスク１１へのユーザデータの記録終了から、これらの多層光ディスク１１を収納したディスクカートリッジ１０を取り出せるまでの時間を短縮することができる。
【０１０５】
＜変形例４＞ 
ディスクカートリッジ１０単位の記録管理情報がまとめて記録される第１の多層光ディスク１１−１から記録管理情報を取得し、それと同時に他のディスクドライブを稼働させて記録作業を行う。これによりディスクカートリッジ１０単位の記録時間を短縮することができる。
【符号の説明】
【０１０６】
１…光記録システム
１０…ディスクカートリッジ
１１…多層光ディスク
１１−１…第１の多層光ディスク
３０…ドライブユニット
３１…ディスクドライブ
３１−１…第１のディスクドライブ
５０…ホスト装置
５１…ＣＰＵ
５２…メモリ
１１３…記録層
【図１】
2014038679.tif 000003
【図２】
2014038679.tif 000004
【図３】
2014038679.tif 000005
【図４】
2014038679.tif 000006
【図５】
2014038679.tif 000007
【図６】
2014038679.tif 000008
【図７】
2014038679.tif 000009
【図８】
2014038679.tif 000010
【図９】
2014038679.tif 000011
【図１０】
2014038679.tif 000012
【図１１】
2014038679.tif 000013
【図１２】
2014038679.tif 000014
【図１３】
2014038679.tif 000015